(57)【要約】【課題】撮影画像に合成する画像を入力する場合において、画像の視認性、選択性を向上させることができる写真自動販売機を提供する。【解決手段】写真自動販売機はディスプレイ装置を備え、ユーザからの入力に基づいて、ディスプレイ装置に表示される画面を、選択画面とするか、入力画面とするか切換る。選択画面１３においては、入力画面で入力可能となる画像の種類の選択受付を行い、入力画面においては、選択画面で選択された種類の画像をどの位置に入力するかの受付を行なう。【選択図】        図２１
2004214824.tif 000002
【特許請求の範囲】
【請求項１】
１のディスプレイ装置と、
前記１のディスプレイ装置に表示される内容を切換える指示を受付ける受付手段と、
前記受付手段が受付けた指示に基づいて、前記１のディスプレイ装置に表示される画面を、選択画面とするか、入力画面とするか判定する判定手段とを備え、
前記選択画面においては、前記入力画面で入力可能となる画像の種類の選択受付を行い、
前記入力画面においては、前記選択画面で選択された種類の画像をどの位置に入力するかの受付を行なう、画像入力装置。
【請求項２】
前記選択画面および前記入力画面のそれぞれにおいては、切換領域が表示され、
前記受付手段は、前記切換領域がユーザによって指示されることで切換指示の受付とし、
前記判定手段は、前記切換領域がユーザによって指示されるごとに、前記１のディスプレイ装置に表示される画面を、選択画面と入力画面とで切換える、請求項１に記載の画像入力装置。
【請求項３】
被写体を撮影する撮影手段と、
前記撮影手段により撮影された画像を表示する１のディスプレイ装置と、
前記１のディスプレイ装置に表示される内容を切換える指示を受付ける受付手段と、
前記受付手段が受付けた指示に基づいて、前記１のディスプレイ装置に表示される画面を、ツール選択画面とするか、画像入力画面とするか判定する判定手段と、
前記撮影手段により撮影された画像と、前記画像入力画面で入力された画像とを合成する合成手段と、
前記合成手段により合成された画像をプリントするプリント手段とを備え、
前記ツール選択画面においては、前記画像入力画面で入力可能となる画像の種類の選択受付を行い、
前記画像入力画面においては、前記ツール選択画面で選択された種類の画像をどの位置に入力するかの受付を行なう、写真自動販売機。
【請求項４】
被写体を撮影する撮影手段と、
前記撮影手段により撮影された画像を表示する第１表示装置と、
前記撮影された画像に対して合成すべき画像を表示する第２表示装置と、
前記第１表示装置に表示された画像と前記第２表示装置に表示された画像とを合成する画像合成手段と、
前記画像合成手段により合成された画像をプリントするプリント手段とを備え、
前記第２表示装置は透過性を有し、前記第１表示装置の上に重ねられるように構成され、
前記第２表示装置に表示される内容を切換える指示を受付ける受付手段と、
前記受付手段が受付けた指示に基づいて、前記第２表示装置に表示される画面を、ツール選択画面とするか、画像入力画面とするか判定する判定手段と、
前記ツール選択画面においては、前記画像入力画面で入力可能となる画像の種類の選択受付を行い、
前記画像入力画面においては、前記ツール選択画面で選択された種類の画像をどの位置に入力するかの受付を行なう、写真自動販売機。
【発明の詳細な説明】
【０００１】
【発明の属する技術分野】
この発明は画像入力装置および写真自動販売機に関し、特に撮影により得られた画像に対して他の画像を合成することができる画像入力装置および写真自動販売機に関する。
【０００２】
【従来の技術】
従来より、利用者のコイン投入と操作とに基づいて利用者である被写体を撮影し、それにより得られた画像をシールなどの記録媒体にプリントして提供する写真撮影装置が知られている。
【０００３】
また、このような写真撮影装置において、撮影された画像に対してフレーム画像などの他の画像を合成して画像のプリントを行なうものが知られている。ここにいうフレーム画像とは、撮影された画像の周りを縁取り、額縁（または枠）のようにするための画像である。フレーム画像の合成により、画像の美観に変化を加えることができる。
【０００４】
また、フレーム画像以外の合成すべき画像として、ユーザが任意に書込んだ画像や、線、背景画像、スタンプ画像、文字などのテキスト、日時などが考えられる。
【０００５】
このような編集操作を行う表示装置および入力装置を複数設けたものが、以下の特許文献１に開示されている。
【０００６】
また、撮影画像を表示し入力を受付ける表示装置と、その入力に必要な表示を行なう表示装置とを別に設けるものが特許文献２に開示されている。
【０００７】
また、画像合成に関連する技術として、以下の３つの特許文献（特許文献３〜５）が存在する。
【０００８】
特許文献３では、光透過性のある情報表示パネルを介して、この裏面側の図柄なども見えるようにし、表示の自由度と汎用性とを高めた装置が開示されている。
【０００９】
特許文献４においては、撮像手段で撮影した画像を表示し、座標入力手段を直接操作することにより、データを書込み入力する映像データ印刷装置が開示されている。
【００１０】
特許文献５においては、第２画像を入力した後、撮影画像の固定を行なう写真自動販売機が開示されている。
【００１１】
【特許文献１】
特許第３１９６８９７号公報
【００１２】
【特許文献２】
特開２００２−２０８０６６号公報
【００１３】
【特許文献３】
特開２０００−３５０８０５号公報
【００１４】
【特許文献４】
特開平１０−１０８１１２号公報
【００１５】
【特許文献５】
特開２００２−１２５１７６号公報
【００１６】
【発明が解決しようとする課題】
写真撮影装置において、撮影された画像に対して合成する画像を入力する手続は、入力すべき画像の選択、選択された画像の入力位置の指示、の２つの工程により行われることが一般的である。
【００１７】
入力すべき画像の選択のために、例えば１つの画面の右半分にツール選択画面が表示され、画像の入力位置の指示のために、１つの画面の左半分に撮影により得られた画像を表示する撮影画像表示画面が表示される。
【００１８】
前者の工程において、ユーザは、画面上に表示されたツール選択画面からフレーム画像、ユーザが任意に書込んだ画像、線、背景画像、スタンプ画像、文字などのテキスト、日時など画像のカテゴリーや、そのカテゴリー内の画像の種類（色、模様など）をタッチペンなどのポインティングデバイスにより選択する。
【００１９】
後者の工程においては、ユーザが撮影画像表示画面の任意の位置をタッチペンなどのポインティングデバイスにより指示することで、選択された画像をどの位置に入力するかの決定が行われる。
【００２０】
この前者の工程と後者の工程とを繰返すことにより、様々な種類の画像を入力することが可能である。
【００２１】
しかしながら、ツール選択画面と撮影画像表示画面とを１つのディスプレイに表示すると、それぞれの表示領域が狭くなり、画像を大きく表示できないし、選択できる画像の種類が少なくなるという問題がある。これは画像の視認性、画像の選択性の低下に繋がっている。
【００２２】
この発明は上述の問題点を解決するためになされたものであり、撮影画像に合成する画像を入力する場合において、画像の視認性、選択性を向上させることができる画像入力装置および写真自動販売機を提供することを目的としている。
【００２３】
【課題を解決するための手段】
上記目的を達成するためこの発明のある局面に従うと、画像入力装置は、１のディスプレイ装置と、１のディスプレイ装置に表示される内容を切換える指示を受付ける受付手段と、受付手段が受付けた指示に基づいて、１のディスプレイ装置に表示される画面を、選択画面とするか、入力画面とするか判定する判定手段とを備え、選択画面においては、入力画面で入力可能となる画像の種類の選択受付を行い、入力画面においては、選択画面で選択された種類の画像をどの位置に入力するかの受付を行なう。
【００２４】
この発明に従うと、１のディスプレイ装置に表示される画面を、選択画面とするか、入力画面とするか切換ることができるため、画像の視認性、選択性を向上させることができる画像入力装置を提供することが可能となる。
【００２５】
好ましくは、選択画面および入力画面のそれぞれにおいては、切換領域が表示され、受付手段は、切換領域がユーザによって指示されることで切換指示の受付とし、判定手段は、切換領域がユーザによって指示されるごとに、１のディスプレイ装置に表示される画面を、選択画面と入力画面とで切換える。
【００２６】
このように、選択画面および入力画面のそれぞれにおいては切換領域を表示することで、ユーザの操作性を向上させることができる。
【００２７】
この発明の他の局面に従うと写真自動販売機は、被写体を撮影する撮影手段と、撮影手段により撮影された画像を表示する１のディスプレイ装置と、１のディスプレイ装置に表示される内容を切換える指示を受付ける受付手段と、受付手段が受付けた指示に基づいて、１のディスプレイ装置に表示される画面を、ツール選択画面とするか、画像入力画面とするか判定する判定手段と、撮影手段により撮影された画像と、画像入力画面で入力された画像とを合成する合成手段と、合成手段により合成された画像をプリントするプリント手段とを備え、ツール選択画面においては、画像入力画面で入力可能となる画像の種類の選択受付を行い、画像入力画面においては、ツール選択画面で選択された種類の画像をどの位置に入力するかの受付を行なう。
【００２８】
この発明の他の局面に従うと写真自動販売機は、被写体を撮影する撮影手段と、撮影手段により撮影された画像を表示する第１表示装置と、撮影された画像に対して合成すべき画像を表示する第２表示装置と、第１表示装置に表示された画像と第２表示装置に表示された画像とを合成する画像合成手段と、画像合成手段により合成された画像をプリントするプリント手段とを備え、第２表示装置は透過性を有し、第１表示装置の上に重ねられるように構成され、第２表示装置に表示される内容を切換える指示を受付ける受付手段と、受付手段が受付けた指示に基づいて、第２表示装置に表示される画面を、ツール選択画面とするか、画像入力画面とするか判定する判定手段とをさらに備え、ツール選択画面においては、画像入力画面で入力可能となる画像の種類の選択受付を行い、画像入力画面においては、ツール選択画面で選択された種類の画像をどの位置に入力するかの受付を行なう。
【００２９】
【発明の実施の形態】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００３０】
［第１の実施の形態］
図１は、本発明の第１の実施の形態における写真自動販売機の外観を示す斜視図である。本実施の形態においては、写真撮影装置は写真自動販売機として用いられている。図１を参照して、本実施の形態における写真自動販売機は、パーソナルコンピュータ（以下、ＰＣという）１０１（図４参照）などの各種機器類を収める筐体１と、筐体１とともに撮影ブース４を形成するパネル２と、フレーム材３とを含む。このような写真自動販売機において、被写体であるユーザ１５は、筐体１、パネル２およびフレーム材３にて構成される撮影スペースである撮影ブース４内に入り、筐体１に相対する向きで撮影を行なう。なお、以降の説明において、便宜上、筐体１の紙面に対して左側の面（ユーザ１５から遠い側の面）を背面とする。また、筐体１の紙面に対して右側の面（ユーザ１５が相対する面）を正面とする。また、本実施の形態においては、被写体がユーザ１５であるものとして説明を行なうが、被写体はユーザ１５に限定されず、その他の物体であってもかまわない。また、被写体であるユーザ１５は、図１においては、１人であるものとして示されているが、複数であってもかまわない。
【００３１】
上述のパネル２が木製である場合には、パネル２は左側面（図１の手前側）、右側面（図１の奥側）、背面（図１の右側）、および天井面（図１の上側）などに大きく分割される。さらに、背面のパネル２は大きいことから、上下または左右に２枚に分割されている場合がある。また、撮影ブース４の内部となる、パネル２の内面は、照明の反射による間接光を得ることを目的とする場合は白色、逆に光を吸収させたいときは黒色、クロマキー合成を行なう目的のときは青色などの色彩が施される。すなわち、パネル２の内面の色は、写真自動販売機がどのような撮影を行なうかによって、設計開発時に適宜選ばれる。また、パネル２は、布またはビニール材で代替することもでき、その場合には、フレーム材３に弛みなく張られた状態で固定される。
【００３２】
プリンタ１２は、撮影された画像を紙やシールや金属やプラスチックなどの印刷媒体に印刷するためのプリンタであって、昇華型プリンタやサーモオートクローム方式（光定着型直接感熱記録方式）などのプリンタが一般的に用いられる。なお、本実施の形態においては、プリンタ１２でシールが印刷されるものとして説明を行なうが、印刷媒体はシールに限定されず、上に示す他の印刷媒体であっても同様の処理が実行される。
【００３３】
さらに、撮影ブース４内には背景カーテン５が配備され、撮影時の背景として用いられる。背景の色によって、被写体の写り方、特に色調が変ってくるため、さまざまな色、柄のカーテンが複数枚用意されている。また、背景カーテン５が備えられていなくてもかまわない。さらに、背景カーテン５は、巻上げ式、引出し方式など、ユーザ１５の操作によりセットされてもよいし、操作部５１（図２参照）などを操作することで自動でセットされてもよい。背景カーテン５は、さまざまな種類が配備されることで、撮影における遊びの要素ともなり得る。
【００３４】
また、ユーザ１５が撮影ブース４内に出入りできるように、写真自動販売機の側面は開けられているが、撮影が妨げられないよう、また外部光を遮断するためなどの理由で、その側面にサイドカーテン６が備えられている。なお、撮影ブース４への出入りが一方の側面のみである場合には、その側面にのみサイドカーテン６が備えられる。また、両側面から出入りできる場合には、両側面にサイドカーテン６が備えられていてもよい。ユーザ１５は、撮影を行なう際には、このサイドカーテン６を開けて撮影ブース４に入り、撮影時はサイドカーテン６を閉める。なお、サイドカーテン６の裏面（撮影ブース４の内側）の色などは、背景カーテン５やパネル２内面と同様の理由で適宜選ばれる。
【００３５】
さらに、写真自動販売機の外側には、お絵描きブース５３とプリント取出口９とが備えられる。
【００３６】
お絵描きブース５３は、筐体１の背面に備えられる。お絵描きブース５３は、撮影により得られた画像を表示し、画像の編集を受付けるタブレットディスプレイ１３と、画像入力を行なうためのタブレットペン１４ａと、ユーザに対し音楽や操作方法の説明などを音声で出力するスピーカ２３ｃとを含んでいる。
【００３７】
プリント取出口９は、筐体１の側面に備えられ、箱型の形状を奏している。プリンタ１２でプリントされた写真は排出され、ここに落とされる。そして、ユーザ１５は、プリント取出口９よりプリントされた写真を取出す。なお、プリント取出口９付近には、印刷中ＬＥＤ（Ｌｉｇｈｔ  Ｅｍｉｔｔｉｎｇ  Ｄｉｏｄｅ）１０および印刷エラーＬＥＤ１１とが備えられ、それらが点灯あるいは点滅することによって、ユーザ１５は、印刷中であるという状態、あるいは印刷中に用紙切れ、インク切れ、用紙詰り、メカニカルエラーなどのエラーが発生しているという状態を知ることができる。
【００３８】
図２は、上述の筐体１を正面（撮影ブース４内方向）から見た斜視図である。図２を参照して、筐体１の正面、すなわち被写体であるユーザ１５と相対する面には、カメラ２１と、モニタ（カメラ２１により写されている映像をリアルタイムで表示するライブモニタ）２２と、デモンストレーション（以下、「デモ」と略す）音声や、ＢＧＭ、操作方法などのアナウンスを出力するスピーカ２３ａ，２３ｂと、デモ画面や撮影中の操作手順、ユーザ１５へのアナウンスなどを表示する操作ディスプレイ１３ｂと、対価である硬貨を投入すためのコイン投入口２６と、前面のメンテナンスなどを行なうためのドアであって、錠２７によって施錠されているフロントドア２８とが備えられる。
【００３９】
また、筐体１のカメラ２１の周囲には、蛍光灯やフラッシュなどを内蔵し、被写体の照明を行なうための照明ボックス１８ａ〜１８ｃが備えられている。また、筐体１には、ユーザ１５からの操作を入力する操作部５１が備えられている。
【００４０】
カメラ２１で撮影された画像はリアルタイムにモニタ２２に表示され、これによりユーザは撮影により得られる画像を知ることができる。
【００４１】
カメラ２１としては、一般にデジタルカメラが用いられる。一般的なデジタルカメラで設定できる項目（たとえばシャッタスピード、絞り値、露出補正、ホワイトバランスなど）の変更や、撮影タイミングは、ＰＣ１０１（図４参照）から指示される。
【００４２】
さらに、筐体１の上面には、筐体１内部の熱を逃がすためのファンや、外部装置への画像の配信、リモートメンテナンスなどの、外部装置との通信を行なうときにケーブルを差込むためのＬＡＮ（Ｌｏｃａｌ  Ａｒｅａ  Ｎｅｔｗｏｒｋ）ケーブル差込口などが備えられていることが好ましい。なお、このようなファンは、筐体１内部の熱を逃がす目的で備えられるものであるため、筐体１の上面に限定されず、熱を発生しやすい機器類の近傍などの他の場所に備えられても、また複数備えられてもかまわない。また、ＬＡＮケーブル差込口が備えられる位置も、ケーブルの配線の取り回しが容易な位置であれば筐体１の上面に限定されない。
【００４３】
図３は、筐体１を背面（お絵描きブース５３方向）から見た斜視図である。
図を参照して、筐体１にはタブレットディスプレイ１３と、２本のタブレットペン１４ａ，１４ｂと、スピーカ２３ｃ，２３ｄとが備えられている。
【００４４】
タブレットディスプレイ１３は、筐体１の撮影を行なう面とは逆の面に備えられるディスプレイであって、撮影後の画像を表示する。また、ユーザ１５より、撮影により得られた画像に対してタブレットペン１４ａ，１４ｂを用いた編集入力（落書き）を受付ける。なお、タブレットペン１４ａ，１４ｂは、ペン形状の入力装置であって、タブレットディスプレイ１３にタッチすることで、背景、スタンプ、フレームなどの画像や文字の入力、または使用する項目（ボタン）の選択、操作の選択などの入力をすることができる。タブレットペン１４は、１つのみ備えられてもよいし、図３に示されるように複数のユーザ１５で編集入力が可能なように複数備えられていてもよい。
【００４５】
本実施の形態における写真自動販売機は、タブレットディスプレイ１３またはモニタ２２の少なくともいずれかに、透明エレクトロルミネッセンス（ＥＬ）パネルなどの透過型のディスプレイを備えたことを特徴としている。また、前面部が透過性を有するＭＬＤ（Ｍｕｌｔｉ−Ｌａｙｅｒ  Ｄｉｓｐｌａｙ：多層表示ディスプレイ）を用いてもよい。なお、以降は、タブレットディスプレイ１３およびモニタ２２のそれぞれに透過型のディスプレイを備えた例で説明する。
【００４６】
次に、図４に、本実施の形態における写真自動販売機の機能ブロック図を示し、写真自動販売機の機能について説明する。
【００４７】
図４を参照して、写真自動販売機は、当該自動販売機を動作させるためのＰＣ１０１と、基板から構成され、動作中のＰＣ１０１からの指示を受付けて、接続されている各種装置を制御する制御部１０２とを備える。
【００４８】
上述のＰＣ１０１は、ＰＣ１０１の制御を行なう演算装置であるＣＰＵ（Ｃｅｎｔｒａｌ  Ｐｒｏｃｅｓｓｉｎｇ  Ｕｎｉｔ）と、装置を動作させるためのプログラムおよびプログラムで必要なグラフィックデータ、音声データ、撮影された画像や撮影画像に対して入力した編集画像その他の各種画像などを記憶する記憶装置と、プログラムの一時的な作業領域ともなるメモリと、カメラ２１、プリンタ１２、タブレットディスプレイ１３などの周辺機器を制御するためのソフトウェアであるドライバと、ＬＡＮケーブルを介して外部機器と接続された場合に通信を行なう通信部とを含む。なお、ＰＣ１０１は、電源スイッチ２９が押され、当該写真自動販売機に電源プラグより電源が投入されると、上記プログラムが起動されて動作する。
【００４９】
また、写真自動販売機は、電源を必要とするモニタ２２および照明装置３０などの電源系統を制御する電源制御部１０３を備え、外部からそれらの装置に対する電源の電圧を安定させるよう制御する。さらに、そのような電源の投入および切断は、電源スイッチ２９を押すことで行なわれる。しかし、電源切断によりＰＣ１０１で動作しているプログラムを強制的に終了させることは、動作を不安定にさせる原因となる。そのため、電源が落とされても、しばらくはＵＰＳ（Ｕｎｉｎｔｅｒｒｕｐｔｅｄ  Ｐｏｗｅｒ  Ｓｕｐｐｌｙ）１０４が電源をバックアップし、ＰＣ１０１に停電信号を送信する。その間に、ＰＣ１０１はプログラムの終了の手続を行ない、プログラムを正常に終了させる。
【００５０】
上述の制御部１０２は、サービスパネル１０５から制御信号を受付ける。サービスパネル１０５は、投入されたコインの枚数をカウントするコインカウンタ、印刷されたプリントの枚数をカウントするプリントカウンタ、スピーカ２３から出力する音声のボリュームを調整する音量調整つまみ、テストモードを行なうためのテストボタン、コインを投入しなくても装置が利用できるようにするためのサービスボタンなどを備えるパネルであって、当該写真自動販売機の設置者が各種設定やメンテナンスの操作を行なう際に用いる。サービスパネル１０５は、フロントドア２８を開けて操作できる筐体１の内部に備えられている。
【００５１】
また、制御部１０２は、操作部５１、サービスパネル１０５、コイン制御部１０７からの信号を受付けＰＣ１０１に通知したり、逆に、ＰＣ１０１からの制御信号（指示コマンドなど）によりサービスパネル１０５、フラッシュ制御部、フラッシュ、コイン制御部１０７、印刷中ＬＥＤ１０、印刷エラーＬＥＤ１１を制御したりする。
【００５２】
コイン制御部１０７は、コイン投入口２６に投入されたコインの正当性を検出し、制御部１０２にコインが投入された信号を送る。逆に、コイン投入を禁止するときは、コイン制御部１０７は制御部１０２からの信号によりコイン投入口をブロックすることができる。
【００５３】
サービスパネル１０５は、テストボタン、サービスボタンが押下された信号を制御部１０２に送る。逆に、制御部１０２からの信号により、コインカウンタ、プリントカウンタを動作させる（たとえばカウンタを１インクリメントする）。また、ＰＣ１０１から出力される音声は、サービスパネル１０５上の音量調整つまみで調整された音量でスピーカ２３から出力される。
【００５４】
操作部５１は、操作部５１での入力信号を制御部１０２に送る。入力信号がＰＣ１０１に送信され、ＰＣ１０１では、操作内容に応じた処理が行なわれる。
【００５５】
さらに、プリンタ１２の状態がＰＣ１０１に通知され、ＰＣ１０１は、その状態に応じて制御部１０２に信号を送出する。その信号によって、印刷中ＬＥＤ１０または印刷エラーＬＥＤ１１が点灯または点滅する。
【００５６】
上述のとおり、タブレットディスプレイ１３およびモニタ２２のそれぞれには、透明エレクトロルミネッセンス（ＥＬ）パネルなどの透過ディスプレイ１３ａ，２２ａが積層される。透過ディスプレイ１３ａ，２２ａのそれぞれはＰＣ１０１に接続され、ＰＣ１０１からの信号に基づき表示を行なう。
【００５７】
なお、いうまでもなく、写真自動販売機の形態は図１〜図４に示される具体例に限定されるものではない。すなわち、図１〜図４に記載されない他の機能が備えられていてもよいし、図１〜図４に記載されている機能がすべて備えられていなくてもかまわない。たとえば、プリンタ１２は写真自動販売機に含まれていなくてもよく、その場合、写真自動販売機は、ＬＡＮなどの専用回線や無線通信などを介して印刷制御信号をプリンタ１２に出力するものとする。
【００５８】
次に、図５のフローチャートを用いて、本実施の形態における写真自動販売機での処理について説明する。図５のフローチャートに示される処理は、ＰＣ１０１のＣＰＵが、記憶装置に記憶されるプログラムをメモリに読出して実行することによって実現される。
【００５９】
まず、当該写真自動販売機に備わる電源スイッチ２９が投入されると、各種装置の電源が投入される。すると、ＰＣ１０１の記憶装置に格納された動作プログラムが起動する。ＰＣ１０１は、各種装置が正常に接続されているかチェックし、初期化が必要な装置に対しては初期化を行なう。その後、当該写真自動販売機の利用を促すタイトルデモを操作ディスプレイ１３ｂに表示し、同時に音声をスピーカ２３ａ，２３ｂから出力する（Ｓ１００）。
【００６０】
タイトルデモが表示されている状態で、コイン投入口２６において、当該写真自動販売機を利用するためのコインの投入を受付ける（Ｓ１１０）。なお、上述のコインの受付けに代えて、タイトルデモ表示中にテストボタンを押下することによって、当該写真自動販売機のメンテナンスを行なうためのテストモードが起動する。
【００６１】
テストモードは、写真自動販売機の設置者が写真自動販売機を操作するためのモードであり、このモードにおいては当該写真自動販売機の利用状況（たとえばコイン投入数など）の確認や、カメラ２１、プリンタ１２など周辺機器の調整ができる。
【００６２】
ここで写真自動販売機の設置者とは、当該写真自動販売機を設置し営業を行なっている店舗などの経営者、管理者、および従業員であり、営業中に、利用者に対応できるものである。
【００６３】
ステップＳ１１０で受付けたコインは、コイン制御部１０７において正当性や枚数などが検知される。そして、正常にコインを受付けるとプレイが開始される。
【００６４】
まず、当該写真自動販売機における処理（プレイ）は、撮影から始まる。はじめに、カメラ２１が取得する画像を、モニタ２２にリアルタイムに表示する。ユーザ１５は、モニタ２２に表示される画像を見ながら、好みの表情やポーズをとることができる。なお、ここではカメラ２１が取得した画像をそのままモニタ２２に表示してもかまわないし、左右に反転処理して表示してもかまわない。左右に反転処理して表示した場合、ユーザ１５の姿を鏡に写す方向と同じ方向でモニタ２２に表示することができる。そのため、ユーザ１５は、モニタ２２を見ながら好みの表情やポーズをとることが容易になる。
【００６５】
次に、撮影方法に複数のモードがある場合は、その選択肢を操作ディスプレイ１３ｂに提示し、操作部５１のボタンなどで好みの撮影モードをユーザ１５から受付ける（Ｓ１２０）。そして、選択された撮影モードで撮影を開始する（Ｓ１３０）。
【００６６】
また、ここでは、撮影モードだけでなく、操作ディスプレイ１３ｂに表示される操作画面およびスピーカ２３ａ，２３ｂから流れる音声に従って、背景カーテン５の選択をしたり、カメラ２１を好みの位置に移動させたり、カメラ２１を回転、または向きを調整したりすることができる。これらの指示は、操作部５１などで受付ける。さらに、カメラ２１の近傍などにカメラ２１の向きやズームなどの指示を行なうボタンなどが備えられる場合には、それによってカメラ２１の向きやズームなどの指示を受付ける。そして、受付けた撮影モードや背景カーテン５などで撮影が行なわれる。
【００６７】
撮影は、時間経過とともに「３、２、１」などのカウントダウンを操作ディスプレイ１３ｂあるいはスピーカ２３ａ，２３ｂに出力して自動で行なうことができる。また、カメラ２１の近傍に設けられた撮影ボタン（図示せず）を押下することで行なってもよい。
【００６８】
撮影は、ＰＣ１０１からカメラ２１に撮影信号が送信されることでシャッタが切られ、実行される。ステップＳ１３０では、このような撮影を所定回数繰返し行なう。
【００６９】
撮影が終了すると、ユーザ１５に対して、お絵描きブース５３へ移動するように促がす案内を操作ディスプレイ１３ｂに表示する。案内に従って、ユーザ１５はお絵描きブース５３へ移動する。そして、以降のユーザ１５の操作は、お絵描きブース５３で行なわれる。
【００７０】
次に、撮影した画像をタブレットディスプレイ１３に全て表示し、その中からユーザ１５が気に入った画像をタブレットペン１４のタッチによって受付ける（Ｓ１４０）。
【００７１】
ユーザ１５からの選択を受付けると、選択された画像をタブレットディスプレイ１３に表示する。そして、さらに撮影画像自体の明るさ調整（ハイキー調整）、回転などの画像処理を行なう画面が表示され、ユーザ１５の好みにより撮影した画像を調整または加工することができる。
【００７２】
次に、選択された撮影画像に対して、ユーザ１５からタブレットペン１４により編集入力を受付ける（Ｓ１５０）。
【００７３】
編集入力中、タブレットディスプレイ１３に、撮影された画像と入力する画像とを切換えるためのボタンや、画像を切換えて編集を行なうための「背景」「フレーム」「ペン」「スタンプ」「消しゴム」「やり直し」などのボタンを表示する。ユーザ１５は、これらのボタンをタブレットペン１４で押すことで使用するツールを選択する。さらに、色、柄などを選択した後、表示された画像上で編集入力を行なう。
【００７４】
編集入力時間は、予め設定されている。そして、タブレットディスプレイ１３上に残り時間を表示し、カウントダウンを行なう。残り時間が０になると編集入力が終了する。または、画面に用意された「終了」ボタンを押すことで強制的に終了させることもできる。
【００７５】
編集入力が終了すると、画像の合成が行なわれ、合成された画像をタブレットディスプレイ１３に表示する。そして、ユーザ１５から、シールなどの印刷媒体に印刷する画像の選択を受付ける（Ｓ１６０）。また、編集入力に失敗した画像などを印刷しないような選択を受付けることもできる。
【００７６】
そして、選択された画像の枚数に応じて、予め決められた複数の印刷レイアウトをタブレットディスプレイ１３に表示し、ユーザ１５の選択を受付ける（Ｓ１７０）。
【００７７】
印刷する画像の選択と印刷レイアウトの選択とを受付けると、選択された印刷レイアウトにしたがって生成された印刷画像データをプリンタ１２に出力する。さらに、ユーザ１５をプリンタ１２の前に誘導するアナウンス（たとえば「シールは右から出るよ！」）をスピーカ２３またはタブレットディスプレイ１３より出力する。そして、プリンタ１２で印刷を実行し（Ｓ１８０）、プリント取出口９よりユーザ１５に提供する（Ｓ１９０）。
【００７８】
以上の処理が、１組のユーザ１５が本実施の形態の写真自動販売機で行なうプレイである。そして、上述の処理を終了すると、次にコインが投入されるまで、再度タイトルデモをスピーカ２３および操作ディスプレイ１３ｂから出力する。
【００７９】
なお、上述の実施の形態では、１組のユーザ１５が利用する形態を説明したが、図１に示すとおり、撮影を行う撮影ブース４と撮影された画像に編集を行うお絵描きブース５３とが異なる場所に設置されていることから、２組の利用者が同時に利用することもできる。この場合、先の利用者が撮影を終了しお絵描きブース５３に移動すると、操作ディスプレイ１３ｂにはデモ画面が表示され、次の利用者のコイン投入を受付ける。そして、コインが投入されると、次の利用者の撮影が開始される。
【００８０】
図６は、タブレットディスプレイ１３と透過ディスプレイ１３ａとの関係を説明するための図である。図を参照して、タブレットディスプレイ１３の上に透過ディスプレイ１３ａが積層され、その両者の表示はＰＣ１０１によって独自に制御される。タブレットディスプレイ１３と透過ディスプレイ１３ａとにそれぞれ別の画像が表示されると、ユーザはあたかもそれらの画像が合成されたような感覚で両画像を見ることになる。
【００８１】
図７は、タブレットディスプレイ１３と透過ディスプレイ１３ａとのそれぞれの表示内容の第１の具体例とそれによるユーザの画像の見え方を示す図である。
【００８２】
この例においては、タブレットディスプレイ１３に撮影により得られたユーザなどの画像が表示され、透過ディスプレイ１３ａにタブレットペンなどにより入力された画像が表示されるものとする。
【００８３】
タブレットペン１４により画像が入力される際には、タブレットペン１４により指し示された画面上の位置情報がＰＣ１０１へ送られる。この位置情報に基づいて、リアルタイムに透過ディスプレイ１３ａの表示内容が書換えられる。
【００８４】
図８は、タブレットディスプレイ１３と透過ディスプレイ１３ａとのそれぞれの表示内容の第２の具体例とそれによるユーザの画像の見え方を示す図である。
【００８５】
図を参照して、この例においては、タブレットディスプレイ１３に撮影により得られたユーザなどの画像が表示され、透過ディスプレイ１３ａにタブレットペンなどにより入力された画像と入力ツールのアイコンなど、入力ツールの選択メニューが表示されるものとする。
【００８６】
ユーザは、タブレットペン１４を用いて入力ツールを指示することで、画像入力に用いるツールを選択し、それにより合成する画像を入力することができる。
【００８７】
なお、図８において、領域Ｄ１は、画像を入力することができる残り時間を表示するところであり、Ｄ２は複数撮影された画像の中からタブレットディスプレイ１３に表示される画像を切換えるためにアイコンである。このアイコンをタブレットペン１４でタッチすることにより、合成する画像の入力を許容する撮影画像の選択を行うことができる。Ｄ３は、画像入力を最初からやりなおすためのアイコンであり、Ｄ４は、操作を一つもどらせる（ｕｎｄｏ）ためのアイコンである。
【００８８】
図９および１０は、透過ディスプレイ１３ａの表示内容の第３の具体例を示す図である。
【００８９】
図を参照して、図９の表示がなされている場合においては、ユーザはタブレットペン１４により撮影された画像に対して合成する画像を書込むことができる。また、画面上部には画像入力の残り時間が表示される。画面右下には、ツール選択領域Ｄ５が表示される。この領域がタブレットペン１４により押下されると、図１０の表示に切換えが行なわれる。
【００９０】
図１０の画面の左右には、図８の透過ディスプレイ１３ａの画面の左右の表示と同様の表示が行なわれる。すなわち、画面左にはツール選択領域が表示され、画面右には画像を選択する領域や、画像入力操作をやり直すための領域が表示される。上述の各領域のレイアウトは、左右に限らず、操作性を考慮され適宜レイアウトされても構わない。
【００９１】
図１０の表示が図８の表示と異なる点として、図１０では画面の中央部に、画面左で選択されたツールの中から選択を行なうための領域Ｄ７が表示される点である。図１０の例ではツールとしてスタンプが選択された例を示しており、領域Ｄ７にはスタンプの中から選択可能な画像が複数表示されている。ユーザはタブレットペン１４を用いて領域Ｄ７内の所望の部分を選択することにより、入力したい所望のスタンプ画像を選択することができる。
【００９２】
領域Ｄ６が選択されることで、透過ディスプレイ１３ａの表示は図９に示されるものとなり、ここでユーザは選択された画像の入力を行なうことができる。
【００９３】
すなわち、図９と図１０との画面は、領域Ｄ５、Ｄ６が選択されることで交互に切換えられる。なお、図１０の画面においても、上部に残り時間Ｄ１が表示される。
【００９４】
なお、この図９と図１０との画面の切換え手法は、本実施の形態のような、透過ディスプレイを通常のディスプレイに積層させた実施形態に限らず、通常のディスプレイのみを備え、透過ディスプレイを備えない実施形態においても適用することができる。すなわち、通常のディスプレイにおいて、撮影画像とそれに合成する画像とを表示させた画面（図９）と、ツールなどを選択させる画面（図１０）とを切換えて表示するようにしてもよい。このように通常のディスプレイを用いる場合は、装置の製造コストを抑えることができる。
【００９５】
このような表示を行なうことで、図９に示される画面では、ツールなどを表示させる必要がなくなるため、画面を広く使うことができる。これにより、画面に撮影により得られた画像を大きく表示できるため、ユーザは細かな画像の入力を行なうことができるようになる。
【００９６】
図１１は、図２のモニタ２２と透過ディスプレイ２２ａとの関係を説明するための図である。図を参照して、モニタ２２の上に透過ディスプレイ２２ａが積層され、その表示はＰＣ１０１によって独自に制御される。モニタ２２にはカメラ２１からの画像データがリアルタイムに表示される。モニタ２２と透過ディスプレイ２２ａとに別の画像が表示されると、ユーザはあたかもそれらの画像が合成されたような感覚で両画像を見ることになる。
【００９７】
図１２は、モニタ２２と透過ディスプレイ２２ａとのそれぞれの表示内容の第１の具体例とそれによるユーザの画像の見え方を示す図である。
【００９８】
この例においては、モニタ２２に撮影により得られたユーザなどの画像がリアルタイムに表示され、透過ディスプレイ２２ａに合成される予定の画像（フレーム画像など）が表示されるものとする。
【００９９】
ユーザはこれにより画像のどの部分にフレーム画像などが合成されるかをリアルタイムで知ることができる。これにより、ユーザの予期しない部分に画像が合成され、ユーザの予期しない出力となってしまうことが防止される。
【０１００】
また、ユーザはフレーム画像を合成するか否かを選択することができるため、フレーム画像を必要としない場合は、撮影可能領域の外周一杯に画像を撮影することが可能である。その他のフレーム画像以外の画像（キャラクタ、文字、背景、図形など）に関しても同様であり、ユーザは画像が合成される領域を知ることで、所望の撮影を行なうことができる。なお、このときユーザの入力に応じて、透過ディスプレイ２２ａの表示、非表示を切換えるようにしてもよい。
【０１０１】
上述のフレーム画像の選択や表示を切り換えるなどの操作は、操作ディスプレイ１３ｂに表示される案内にしたがって、操作部５１を操作することで行う。また、透過ディスプレイ２２ａに図８のような画面を表示し、指やタブレットペンなど、その他の入力手段で行ってもよい。
【０１０２】
なお、フレーム画像が大中小と複数ある場合には、そのフレームごとに合せた領域を表示させるようにしてもよい。
【０１０３】
このようにして、本実施の形態においてはユーザに対し画像を合成する領域がモニタに示されるため、撮影される画像と他の画像との合成後のイメージを確認することが可能となり、合成される他の画像に重ならないようにユーザがポーズをとることが容易になる。また、合成される画像を選択し、合成イメージを確認しながら撮影を行うことができ、ユーザの望みどおりの画像の合成を行なうことができる。
【０１０４】
図１３〜図１５は、モニタ２２と透過ディスプレイ２２ａとのそれぞれの表示内容の第２の具体例とそれによるユーザの画像の見え方を示す図である。
【０１０５】
この例においては、図１３に示すように、モニタ２２に背景画像など撮影画像の背後に合成させる画像を表示させ、図１４に示すように透過ディスプレイ２２ａにカメラ２１により得られた撮影画像を表示させるものである。これにより、ユーザは図１５に示されるような、合成後のイメージを見ることになる。なお、モニタ２２に表示させる画像は、合成させる画像でなくともよい。
【０１０６】
なお、透過ディスプレイ２２ａの表示において、クロマキー手法（または入力装置でユーザが透明にしたい部分をなぞるなどで被写体以外の位置を入力する）などで被写体を抽出し、被写体以外を透明色で置換える処理が行なわれる。
【０１０７】
［第２の実施の形態］
図１６は、本発明の第２の実施の形態における写真自動販売機に備えられる画像入力装置の一部構成を説明するための図である。
【０１０８】
図を参照して、本実施の形態における写真自動販売機の構成は第１の実施の形態におけるそれと概略同じであるためここでの説明を繰返さない。
【０１０９】
図１６を参照して、本実施の形態においては、画像入力を行なうための部分において、撮影により得られた画像を表示するディスプレイ１３と、その上に積層される透明ディスプレイ１３ａとの間に隙間を設け、紙、透明シートなどの下絵Ｐを挿入可能としている。これにより、ユーザは自分の好みの下絵Ｐをディスプレイ１３と透過ディスプレイ１３ａとの間に挟み、タブレットペン１４ａによりそれをなぞることで画像を入力することができる。
【０１１０】
下絵Ｐが透明シートなど透明性を有するものである場合は、タブレットディスプレイ１３に表示されている画像が見えるので、合成イメージを確認しながら画像を入力することができるので、画像の入力が行いやすくなる。
【０１１１】
［第３の実施の形態］
図１７は、第３の実施の形態における写真自動販売機１の外観の具体例を示す図である。
【０１１２】
図１７を参照して、第３の実施の形態における写真自動販売機１は、上部カメラ２３０ａと下部カメラ２３０ｂとの２つのカメラを備える。このため、第３の実施の形態においては、ユーザ１５は、被写体１５の上部（例えば顔）のアップ写真と、全体写真とを選択することができる。さらに上部カメラ２３０ａはレールに沿って上下に移動させることができる。このため、被写体１５の身長に合わせた撮影を行なうことができる。
【０１１３】
また、照明を上部照明２８０ａと下部照明２８０ｂとの上下に設けることで、影の少ない美しい写真を提供することができる。
【０１１４】
また、コイン投入口２８２を正面に備えることで、ユーザの使い勝手を向上させることができる。また、ディスプレイ２６０を、正面の上部ディスプレイ２６０ａと、ユーザ１５の操作スペースの下部ディスプレイ２６０ｂとの２箇所に設けることでも、ユーザの使い勝手を向上させることができる。
【０１１５】
また、第３の実施の形態において、写真自動販売機１の操作部２２０は、下部ディスプレイ２６０ｂと、入力装置２２１とを含む。入力装置２２１は、図１７に示されている如く、タブレットペンの形状を奏しており、タッチパネル式の下部ディスプレイ２６０ｂにその先端を接触させることで写真自動販売機１に対して情報の入力を行なうことができる。また、複数のユーザ１５が被写体１５として写真自動販売機を使用することを想定して、左右に１つずつ入力装置２２１を備えていてもよい。
【０１１６】
ユーザ１５は入力装置２２１を用いて、下部ディスプレイ２６０ｂに表示された、カメラ２３０で撮影された被写体１５の撮影画像の上に、任意の文字や図形等を描込むことができる。左右に２つの入力装置２２１を備える場合は、複数のユーザ１５が各々の方向から描込み入力することが可能になる。
【０１１７】
本実施の形態においても、第１の実施の形態と同様、上部ディスプレイ２６０ａおよび下部ディスプレイ２６０ｂの各々に透過ディスプレイが積層されている。
【０１１８】
図１８は、上部ディスプレイ２６０ａと下部ディスプレイ２６０ｂとの関係を説明するための図である。
【０１１９】
図を参照して、カメラ２３０により得られた画像は、上部ディスプレイ２６０ａにリアルタイムに表示される。一方、ユーザはディスプレイ２６０ｂと操作部２２０とを操作することにより、撮影画像に合成する画像を選択することができる。写真自動販売機に備えられるＰＣ１０１は、下部ディスプレイ２６０ｂにより選択された画像を上部ディスプレイ２６０ａに積層される透過ディスプレイに表示する。これにより、ユーザの画像選択がリアルタイムに反映され、表示される。
【０１２０】
なお図１８では上部カメラ２３０ａを用いて説明を行ったが、下部カメラ２３０ｂにおいても同様であり、また、２台のカメラのうち、選択されたカメラからの映像が上部ディスプレイ２６０ａに表示されるように構成されている。
【０１２１】
また、操作部２２０においては、下部ディスプレイ２６０ｂに表示される選択肢を入力装置２２１でタッチすることで、選択して入力することができる。
【０１２２】
図１９は、第３の実施の形態における写真自動販売機において、ユーザ１５がコインを投入したときの動作を示すフローチャートである。
【０１２３】
図１９を参照して、記憶装置に記憶された複数の記憶画像データを順次読出し、下部ディスプレイ２６０ｂに表示させ、ユーザ１５に操作部２２０を操作させて所望の記憶画像を選択させる（Ｓ４１）。なお、このステップでの選択処理は割込みによって、いつでも行なうことができる。
【０１２４】
記憶画像に合成する被写体画像の構成としては、全身の画像または上半身の画像や、１つの画像または複数の画像や、１ショットの画像または複数回ショットの画像が挙げられる。したがって、所望の記憶画像を選択した後、ユーザ１５は被写体１５の前記画像構成の中から１つを選択する（Ｓ４２）。
【０１２５】
次に、カメラで撮影された被写体１５の撮影画像を、選択した画像構成に変換した後（Ｓ４３）、変換した被写体１５の撮影画像を上部ディスプレイ２６０ａに、選択された記憶画像を透過ディスプレイにリアルタイムに表示する（Ｓ４４）。
【０１２６】
次に、ユーザ１５が、上部ディスプレイ２６０ａの表示画像を見ながら被写体１５の位置調整を完了した後に、操作部２２０の調整完了ボタンを押すと（Ｓ４５）、ユーザ１５にポーズをとるように指示がなされ、それから画像の停止が指示される（Ｓ４６）。このとき、上部ディスプレイ２６０ａには、停止直前の画像が静止画像として表示される。
【０１２７】
次に、ユーザ１５は、前記静止画像を印刷するか否かを判断し（Ｓ４７）、印刷せずに撮り直す場合には、操作部２２０の撮り直しボタンを押し、印刷する場合には、操作部２２０の印刷ボタンを押す。撮り直しボタンが押されると（Ｓ４７でＮＯ）、ステップＳ４２に戻って上記動作を繰返す。
【０１２８】
選択した記憶画像と被写体１５との画像の表示を確認し、ＯＫである場合（Ｓ４７でＹＥＳ）、入力装置２２１による描込みを行なうか否かを選択する（Ｓ４８）。
【０１２９】
描込みを行なわない場合（Ｓ４８でＮＯ）は、上部ディスプレイ２６０ａに表示された画像と透過ディスプレイに表示された画像とが合成され、その合成画像が印刷媒体に印刷され（Ｓ５１）、取出口２６６から排出される。
【０１３０】
描込みを行なう場合（Ｓ４８でＹＥＳ）は、操作部２２０で、任意の描込みを行なうことができる。この書込み処理は、第１の実施の形態と同様である。
【０１３１】
描込まれた任意の図形等は、描込み画像として合成される（Ｓ４９）。ユーザ１５は、上部ディスプレイ２６０ａまたは下部ディスプレイ２６０ｂにおいて描込み画像との合成画像を確認して、描込みを完了すると（Ｓ５０でＹＥＳ）、合成画像は印刷媒体に印刷される（Ｓ５１）。また、再度描込みをし直すこともできる（Ｓ５０でＮＯ）。
【０１３２】
なお、上述の実施の形態では、操作入力や画像を入力する手段としては、タブレットディスプレイで説明を行っているが、指やディジタイザなど他の手段を用いるものを使用してもよい。また、透過ディスプレイ側に入力を受け付ける手段が備わっていても構わない。
【０１３３】
また、利用者１５に対する案内または操作を説明する表示、または画像入力で必要となる表示などを、タブレットディスプレイ１３に表示するように説明しているが、これらは、透過ディスプレイ１３ａに表示しても構わない。
【０１３４】
さらに、重ね合せる２つの表示装置（第１表示装置と第２表示装置）は同じ大きさでなくても構わず、少なくとも合成表示される部分だけが重なっていればよい。たとえば、第１表示装置に第２表示装置を重ね合せる際、第２表示装置は、画像を重ね合わせて表示したい部分にのみ存在すればよく、それ以外の部分は透明アクリル板などで構成してもよい。第２表示装置が存在しない部分に透明アクリル板を設けることで、画面の表面の平滑性を保つことができ、また、第１表示装置の表面を保護することができる。
【０１３５】
上述の第１〜第３の実施の形態においては、画像入力中はソフトウェアによる合成処理を行なわないことにより、装置の処理負荷が軽減され、操作性を向上させることができる。
【０１３６】
また、大きな画像を表示し、細かい部分まで編集入力ができる。さらに、透過型のディスプレイを用いることで、目新しさがあり、遊戯性が高まるという効果がある。
【０１３７】
［第４の実施の形態］
なお、上述の図９および１０において、ユーザが画像を入力する画面（入力画面）と、ツールを選択する画面（選択画面）とを切換る例について説明したが、ここで、通常のディスプレイのみを備え、透過ディスプレイを備えない写真自動販売機にこの例を適用した場合について詳しく説明する。すなわち、この場合では表示部は最低一つあれば発明を実施できる。
【０１３８】
図２０は、第４の実施の形態における写真自動販売機の入力画面の具体例を示す図である。この画面において、ユーザはタブレットペン１４により撮影された画像に対して合成する画像を書込むことができる。また、画面上部には画像入力の残り時間が表示される。画面右下には、ツール選択領域Ｄ５が表示される。
【０１３９】
この領域がタブレットペン１４により押下されると、図２１の表示に切換えが行なわれる。
【０１４０】
図２１の画面の左右には、図１０と同様の表示が行なわれる。すなわち、画面左にはツール選択領域が表示され、画面右には画像を選択する領域や、画像入力操作をやり直すための領域が表示される。上述の各領域のレイアウトは、左右に限らず、操作性を考慮され適宜レイアウトされても構わない。
【０１４１】
図２１では図１０と同じく、画面の中央部に、画面左で選択されたツールの中から選択を行なうための領域Ｄ７が表示される。図２１の例ではツールとしてスタンプが選択された例を示しており、領域Ｄ７にはスタンプの中から選択可能な画像が複数表示されている。ユーザはタブレットペン１４を用いて領域Ｄ７内の所望の部分を選択することにより、入力したい所望のスタンプ画像を選択することができる。
【０１４２】
領域Ｄ６が選択されることで、画面の表示は図２０に示されるものとなり、ここでユーザは選択された画像の入力を行なうことができる。
【０１４３】
すなわち、図２０と図２１との画面は、領域Ｄ５、Ｄ６が選択されることで交互に切換えられる。これにより、通常の単一のディスプレイにおいて、撮影画像とそれに合成する画像とを表示させた画面（図２０）と、ツールなどを選択させる画面（図２１）とを切換えて表示することができる。
【０１４４】
なお、図２１の表示に変えて、図２２に示すように、ツールを選択する画面（選択画面）においては、図２０のユーザが画像を入力する画面（入力画面）に図２１の画面を重ね合わせて表示させるようにしてもよい。このような画面においても、ユーザはツールを選択することが可能である。
【０１４５】
なお、上述の写真自動販売機の制御方法を、プログラムとして提供することもできる。このようなプログラムは、コンピュータ読取り可能なプログラムである。
【０１４６】
プログラムは、コンピュータに付属するフレキシブルディスク、ＣＤ−ＲＯＭ、ＲＯＭ、ＲＡＭおよびメモリカードなどの記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１４７】
提供されるプログラム製品は、ハードディスクなどのプログラム格納部にインストールされて実行される。
【０１４８】
なお、プログラム製品は、プログラム自体と、プログラムが記録された記録媒体とを含む。
【０１４９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本発明の第１の実施の形態における写真撮影装置である、写真自動販売機の外観を示す斜視図である。
【図２】筐体１を正面方向から見た図である。
【図３】筐体１を背面方向から見た図である。
【図４】写真自動販売機の機能ブロック図である。
【図５】写真自動販売機での処理を示すフローチャートである。
【図６】タブレットディスプレイ１３と透過ディスプレイ１３ａとの関係を説明するための図である。
【図７】タブレットディスプレイ１３と透過ディスプレイ１３ａとのそれぞれの表示内容の第１の具体例とそれによるユーザの画像の見え方を示す図である。
【図８】タブレットディスプレイ１３と透過ディスプレイ１３ａとのそれぞれの表示内容の第２の具体例とそれによるユーザの画像の見え方を示す図である。
【図９】透過ディスプレイ１３ａの表示内容の第３の具体例を示す図である。
【図１０】透過ディスプレイ１３ａの表示内容の第３の具体例を示す図である。
【図１１】図２のモニタ２２と透過ディスプレイ２２ａとの関係を説明するための図である。
【図１２】モニタ２２と透過ディスプレイ２２ａとのそれぞれの表示内容の第１の具体例とそれによるユーザの画像の見え方を示す図である。
【図１３】モニタ２２の表示内容の第２の具体例を示す図である。
【図１４】透過ディスプレイ２２ａの表示内容の第２の具体例を示す図である。
【図１５】図１３、１４の状態におけるユーザの画像の見え方を示す図である。
【図１６】本発明の第２の実施の形態における写真自動販売機に備えられる画像入力装置の一部構成を説明するための図である。
【図１７】第３の実施の形態における写真自動販売機１の外観の具体例を示す図である。
【図１８】上部ディスプレイ２６０ａと下部ディスプレイ２６０ｂとの関係を説明するための図である。
【図１９】第３の実施の形態における写真自動販売機において、ユーザ１５がコインを投入したときの動作を示すフローチャートである。
【図２０】第４の実施の形態における写真自動販売機での入力画面を示す図である。
【図２１】第４の実施の形態における写真自動販売機での選択画面を示す図である。
【図２２】図２１の選択画面の変形例を示す図である。
【符号の説明】
１  筐体、１２  プリンタ、１３  タブレットディスプレイ、１３ａ  透過ディスプレイ、１３ｂ  操作ディスプレイ、１４  タブレットペン、１５  ユーザ、２１  カメラ、２２  モニタ、２２ａ  透過ディスプレイ、１０１  パーソナルコンピュータ、１０２  制御部、２６０ａ  上部ディスプレイ、２６０ｂ  下部ディスプレイ。
【図１】
2004214824.tif 000003
【図２】
2004214824.tif 000004
【図３】
2004214824.tif 000005
【図４】
2004214824.tif 000006
【図５】
2004214824.tif 000007
【図６】
2004214824.tif 000008
【図７】
2004214824.tif 000009
【図８】
2004214824.tif 000010
【図９】
2004214824.tif 000011
【図１０】
2004214824.tif 000012
【図１１】
2004214824.tif 000013
【図１２】
2004214824.tif 000014
【図１３】
2004214824.tif 000015
【図１４】
2004214824.tif 000016
【図１５】
2004214824.tif 000017
【図１６】
2004214824.tif 000018
【図１７】
2004214824.tif 000019
【図１８】
2004214824.tif 000020
【図１９】
2004214824.tif 000021
【図２０】
2004214824.tif 000022
【図２１】
2004214824.tif 000023
【図２２】
2004214824.tif 000024